(57)【要約】  非連続式角度調整器を提供する。メインプレート（１）と、カム（２）と、ロックプレート（３）と、カムスプリング（４）と、歯付きプレート（５）と、制御ディスク（６）とを備える。メインプレート（１）の内部には、取付溝（１１）及びストッパー（１２）が設けられ、カムスプリング（４）が取付溝（１１）のコーナ部に対称的に設けられ、カム（２）が取付溝（１１）の中心位置に取り付けられ、カム（２）の取付溝（１１）に近い側には、複数のバンプ（２１）が設けられ、カムスプリング（４）の伸長端がバンプ（２１）に一対一で対応して嵌合され、ストッパー（１２）が取付溝（１１）の周辺に等間隔離間し、ロックプレート（３）が隣接する２つのストッパー（１２）の間に設けられる。そして、ロックプレート（３）のトップには、ドグ歯（３１）がさらに設けられ、メインプレート（１）がさらに歯付きプレート（５）に接続され、歯付きプレート（５）の内側円周には、歯付きリング（５１）が設けられ、歯付きリング（５１）がドグ歯（３１）に嵌合され、制御ディスク（６）が歯付きプレート（１）の内部に位置する。【選択図】図１
2021502883.tif 000002
【特許請求の範囲】
【請求項１】
メインプレートと、カムと、ロックプレートと、カムスプリングと、歯付きプレートと、制御ディスクとを備え、  前記メインプレートの内部には、取付溝及びストッパーが設けられ、前記カムスプリングが前記取付溝のコーナ部に対称的に設けられ、前記カムが前記取付溝の中心位置に取り付けられ、前記カムの前記取付溝に近い側には、複数のバンプが設けられ、前記カムスプリングの伸長端が前記バンプに一対一で対応して嵌合され、前記カムスプリングが前記メインプレートと前記ロックプレートとの間に位置し、  前記ストッパーが前記取付溝の周辺に等間隔離間し、前記ロックプレートが隣接する２つの前記ストッパーの間に設けられ、かつ前記ロックプレートのトップには、ドグ歯がさらに設けられ、  前記メインプレートがさらに前記歯付きプレートに接続され、前記歯付きプレートの内側円周には、歯付きリングが設けられ、前記歯付きリングが前記ドグ歯に嵌合され、  前記制御ディスクは、前記歯付きプレートの内部に位置し、さらに前記カムに接続され、  ロックする必要があるとき、前記カムスプリングは、前記バンプを押圧して前記カムを回転駆動させ、前記カムは、プッシュ機構によって前記ロックプレートを押し出すことによって、前記ドグ歯を歯付きリングと噛み合わせ、ロック位置に入れ、  ロック解除する必要があるとき、前記カムは、外力作用で、ロック解除方向に回転し、前記制御ディスクを回転駆動させ、前記制御ディスクは、引き戻し機構によって前記ロックプレートを引き戻し、噛合位置から離脱させる、ことを特徴とする非連続式角度調整器。
【請求項２】
前記プッシュ機構は、第１後支持ピンと、第２後支持ピンと、第１前支持ピンと、第２前支持ピンとを含み、前記第１後支持ピン及び第１前支持ピンがそれぞれ前記ロックプレートの底端両側に設けられ、前記第２後支持ピン及び第２前支持ピンが前記カムの外周側に間隔をおいて設けられ、前記第１後支持ピンと前記第２後支持ピンとが接触するとき、前記第１前支持ピンと第２前支持ピンとが分離され、前記ドグ歯と前記歯付きリングとが噛み合う、ことを特徴とする請求項１に記載の非連続式角度調整器。
【請求項３】
前記カムスプリングの伸長端には、突出ピンがさらに設けられ、前記バンプの形状が長円形であり、前記長円形は、第１辺側と、最高側と、第２辺側と、最低側とを含み、ロック状態にあるとき、前記突出ピンが前記第１辺側、又は第１辺側から最高側までの間と接触し、ロック解除状態にあるとき、前記突出ピンが最高側に当接する、ことを特徴とする請求項２に記載の非連続式角度調整器。
【請求項４】
前記引き戻し機構は、弧形シュートとスライダーとを含み、前記弧形シュートが前記制御ディスクの前記カムに近い側に設けられ、前記スライダーが前記ロックプレートの前記カムに近い側に設けられ、前記スライダーが前記弧形シュートに摺接され、ロック解除する必要があるとき、前記カムは、外力作用で、ロック解除方向に回転し、前記制御ディスクを回転駆動させ、前記弧形シュートは、スライダーを摺動駆動させて前記ロックプレートを引き戻し、噛合位置から離脱させる、ことを特徴とする請求項３に記載の非連続式角度調整器。
【請求項５】
前記カムの、前記バンプとは反対側の側面には、複数の固定溝がさらに設けられ、前記制御ディスクには、前記固定溝に嵌合される複数の固定ブロックが対応して設けられる、ことを特徴とする請求項４に記載の非連続式角度調整器。
【請求項６】
前記固定ブロックの断面形状は、「几」の字のような形、又は一側が開放する「Ｚ」字型である、ことを特徴とする請求項５に記載の非連続式角度調整器。
【請求項７】
前記メインプレートの内部中心位置には、外へ突出する管状突出部がさらに設けられ、前記管状突出部が前記取付溝に位置し、かつ前記管状突出部の外円周と前記バンプの最低側との間には、段階的に変わる隙間が設けられる、ことを特徴とする請求項５又は６に記載の非連続式角度調整器。
【請求項８】
前記バンプと前記カムスプリングとが面一に設けられる、ことを特徴とする請求項１〜６のいずれかに記載の非連続式角度調整器。
【請求項９】
前記歯付きプレート及び前記メインプレートの外部には、前記歯付きプレート及びメインプレートが軸方向に分離することを制限するための帯筋がさらに設けられる、ことを特徴とする請求項１に記載の非連続式角度調整器。
【発明の詳細な説明】
【技術分野】
【０００１】
本発明は、角度調整器の技術分野に関し、特に非連続式角度調整器に関する。  
【背景技術】
【０００２】
従来、中国内外では、車両用のシート角度調整器が車両のシートに取り付けられ、シート角度調整器によって、シートバックレストをシートクッションに対して角度調整することができる。  
【０００３】
従来の角度調整器は、一般的に、以下の欠点が存在する。１）、ロック／ロック解除の同期性が低く、密封性が低く（塗装需要に適応できない）、２）、ロック解除の手触りが悪く、製造コストが高い。
【発明の概要】
【発明が解決しようとする課題】
【０００４】
本発明は、主に、従来技術に存在する技術課題を解決し、それにより、ロック同期性が高く、ロック解除の手触りが良好であり、製造コストが低い非連続式角度調整器を提供する。
【課題を解決するための手段】
【０００５】
本発明の上記技術課題は、主に、下記技術案によって解決される。  本発明に係る非連続式角度調整器であって、メインプレートと、カムと、ロックプレートと、カムスプリングと、歯付きプレートと、制御ディスクとを備え、  前記メインプレートの内部には、取付溝及びストッパーが設けられ、前記カムスプリングが前記取付溝のコーナ部に対称的に設けられ、前記カムが前記取付溝の中心位置に取り付けられ、前記カムの前記取付溝に近い側には、複数のバンプが設けられ、前記カムスプリングの伸長端が前記バンプに一対一で対応して嵌合され、前記カムスプリングが前記メインプレートと前記ロックプレートとの間に位置し、  前記ストッパーが前記取付溝の周辺に等間隔離間し、前記ロックプレートが隣接する２つの前記ストッパーの間に設けられ、かつ前記ロックプレートのトップには、ドグ歯がさらに設けられ、  前記メインプレートがさらに前記歯付きプレートに接続され、前記歯付きプレートの内側円周には、歯付きリングが設けられ、前記歯付きリングが前記ドグ歯に嵌合され、  前記制御ディスクは、前記歯付きプレートの内部に位置し、さらに前記カムに接続され、  ロックする必要があるとき、前記カムスプリングは、前記バンプ押圧して前記カムを回転駆動させ、前記カムは、プッシュ機構によって前記ロックプレートを押し出すことによって、前記ドグ歯を歯付きリングと噛み合わせ、ロック位置に入れ、  ロック解除する必要があるとき、前記カムは、外力作用で、ロック解除方向に回転し、前記制御ディスクを回転駆動させ、前記制御ディスクは、引き戻し機構によって前記ロックプレートを引き戻し、噛合位置から離脱させる。  
【０００６】
さらに、前記プッシュ機構は、第１後支持ピンと、第２後支持ピンと、第１前支持ピンと、第２前支持ピンとを含み、前記第１後支持ピン及び第１前支持ピンがそれぞれ前記ロックプレートの底端両側に設けられ、前記第２後支持ピン及び第２前支持ピンが前記カムの外周側に間隔をおいて設けられ、前記第１後支持ピンと前記第２後支持ピンとが接触するとき、前記第１前支持ピンと第２前支持ピンとが分離され、前記ドグ歯と前記歯付きリングとが噛み合う。  
【０００７】
さらに、前記カムスプリングの伸長端には、突出ピンがさらに設けられ、前記バンプの形状が長円形であり、前記長円形は、第１辺側と、最高側と、第２辺側と、最低側とを含み、ロック状態にあるとき、前記突出ピンが前記第１辺側、又は第１辺側から最高側までの間と接触し、ロック解除状態にあるとき、前記突出ピンが最高側に当接する。  
【０００８】
さらに、前記引き戻し機構は、弧形シュートとスライダーとを含み、前記弧形シュートが前記制御ディスクの前記カムに近い側に設けられ、前記スライダーが前記ロックプレートの前記カムに近い側に設けられ、前記スライダーが前記弧形シュートに摺接され、ロック解除する必要があるとき、前記カムは、外力作用で、ロック解除方向に回転し、前記制御ディスクを回転駆動させ、前記弧形シュートは、スライダーを摺動駆動させて前記ロックプレートを引き戻し、噛合位置から離脱させる。  
【０００９】
さらに、前記カムの前記バンプとは反対側の側面には、複数の固定溝がさらに設けられ、前記制御ディスクには、前記固定溝に嵌合される複数の固定ブロックが対応して設けられる。  
【００１０】
さらに、前記固定ブロックの断面形状は、「几」の字のような形、又は一側が開放する「Ｚ」字型である。  
【００１１】
さらに、前記メインプレートの内部中心位置には、外へ突出する管状突出部がさらに設けられ、前記管状突出部が前記取付溝に位置し、かつ前記管状突出部の外円周と前記バンプの最低側との間には、段階的に変わる隙間が設けられる。  
【００１２】
さらに、前記バンプと前記カムスプリングとが面一に設けられる。  
【００１３】
さらに、前記歯付きプレート及び前記メインプレートの外部には、前記歯付きプレート及びメインプレートが軸方向に分離することを制限するための帯筋がさらに設けられる。
【発明の効果】
【００１４】
本発明の有益な効果は以下のとおりである。１）、複数のロックプレートが噛合位置に入る同期性を向上させ、操作感を改善し、２）、カムとメインプレートとの間の軸方向隙間が小さく、塗装プロセスで、重要部材の密封性を保証でき、３）、ロック解除の快適性及び手触りを向上させるとともに、ロックトルクを保証した上で、最大のロック解除トルクを効果的に低下させ、４）、部品構成が簡単であり、金型の複雑度要件及び製造コストが低い。
【図面の簡単な説明】
【００１５】
本発明の実施例又は従来技術の技術案をより明確に説明するため、以下、実施例又は従来技術の記述において必要な図面を用いて簡単に説明を行うが、当然ながら、以下に記載する図面は単に本発明の一部の実施例にすぎず、当業者であれば、創造的な労力を要することなく、これらの図面に基づいて他の図面に想到しうる。  
【００１６】
【図１】本発明の非連続式角度調整器の分解図である。
【図２】本発明の非連続式角度調整器のプッシュ機構の構造模式図である。
【図３】本発明の非連続式角度調整器のトルク調整機構の構造模式図である。
【図４】本発明の非連続式角度調整器のロック状態の模式図である。
【図５】本発明の非連続式角度調整器のロック解除直前状態の模式図である。
【図６】本発明の非連続式角度調整器のロック解除状態の模式図である。
【図７】本発明の非連続式角度調整器の力作用模式図である。
【発明を実施するための形態】
【００１７】
当業者が本発明の効果及び特徴を理解しやすくし、本発明の特許請求の範囲を明確かつはっきり限定するように、以下、図面を参照しながら、本発明の好適な実施例について詳細に説明する。  
【００１８】
図１〜６に示されるように、本発明の非連続式角度調整器は、メインプレート１と、カム２と、ロックプレート３と、カムスプリング４と、歯付きプレート５と、制御ディスク６とを備え、  メインプレート１の内部には、取付溝１１及びストッパー１２が設けられ、カムスプリング４が取付溝１１のコーナ部に対称的に設けられ、カム２が取付溝１１の中心位置に取り付けられ、カム２の取付溝１１に近い側には、複数のバンプ２１が設けられ、カムスプリング４の伸長端がバンプ２１に一対一で対応して嵌合され、カムスプリング４がメインプレート１とロックプレート３との間に位置し、  
【００１９】
ストッパー１２が取付溝１１の周辺に等間隔離間し、ロックプレート３が隣接する２つのストッパー１２の間に設けられ、かつロックプレート３のトップにドグ歯３１がさらに設けられ、  メインプレート１がさらに歯付きプレート５に接続され、歯付きプレート５の内側円周には、歯付きリング５１が設けられ、歯付きリング５１がドグ歯３１に嵌合され、  制御ディスク６は、歯付きプレート５の内部に位置し、さらにカム２に接続され、  ロックする必要があるとき、カムスプリング４は、バンプ２１を押圧してカム２を回転駆動させ、カム２は、プッシュ機構７によってロックプレート３を押し出すことによって、ドグ歯３１を歯付きリング５１と噛み合わせ、ロック位置に入れ、  ロック解除する必要があるとき、カム２は、外力作用で、ロック解除方向に回転し、制御ディスク６を回転駆動させ、制御ディスク６は、引き戻し機構８によってロックプレート３を引き戻し、噛合位置から離脱させる。  
【００２０】
本発明では、ロックプレート３は、一般的に２つ〜６つを必要とし、角度調整器のサイズ又は重量が大きいとき、噛合歯（歯付きリング５１がドグ歯３１と噛み合う）の力作用位置が円心（トルクの回転中心）から離れ、同じ負荷（強度指標）条件において、大きなサイズに必要な噛合歯の数が少なく、角度調整器のコンパクト化かつ軽量化の改良過程では、力作用位置が円心に近くなり、ロックプレート３の材料の厚みが小さくなり、従って、強度を負荷するように、より多くの噛合歯を必要とするが、移動構造が限られるため、各可動なロックプレート３に配置可能なドグ歯３１の数も限られ（一般的に、約２０個〜３０個）、従って、安全性指標を保証した上で、快適性指標（ロック解除の快適性を含む）を最適化させ、強度及び重量指標が決定された後、安全性指標を保証するために、少なくとも４つのロックプレートを必要とする。また、ロックプレート３が多ければ、システムが複雑になり、ロック過程における歯押し出し確率が高くなる。従って、本実施例では、好ましくは、ロックプレート３の数は、４つである。  
【００２１】
具体的には、プッシュ機構７は、第１後支持ピン７１と、第２後支持ピン７２と、第１前支持ピン７３と、第２前支持ピン７４とを含み、第１後支持ピン７１及び第１前支持ピン７３がそれぞれロックプレート３の底端両側に設けられ、第２後支持ピン７２及び第２前支持ピン７４がカム２の外周側に間隔をおいて設けられ、第１後支持ピン７１と第２後支持ピン７２とが接触するとき、第１前支持ピン７３と第２前支持ピン７４とが分離され、ドグ歯３１と歯付きリング５１とが噛み合う。  
【００２２】
本発明では、カム２がロックされた後、カム２における第２後支持ピン７２ができる限り多くのロックプレート３と剛性接触を発生させる（すなわち、第２後支持ピン７２が第１後支持ピン７１と接触する）必要があり、角度調整器が外部トルクに抵抗する能力（強度）を保証する。実際な場合には、外部負荷が対称的ではなく、又は部品サイズが完璧ではないため、メインプレート１と歯付きプレート５との間には、同心度偏差が存在し、歯付きプレート５及びロックプレート３で形成される包絡円には、同様に同心度偏差が存在し、カム２がロック方向に回転するとき、できる限り多くのロックプレートと剛性接触を発生させるという目的を達成するように、上記同心度偏差に適応する必要があり、従って、カム２とメインプレート１との間のフローティング量を適当に拡大する必要があり、また、本実施例では、ロックプレート３を第１後支持ピン７１と第２後支持ピン７２との接触力に沿って１つの方向にずらすように押し、最終的にロックプレート３を隣接する２つのストッパー１２といずれも接触させ、ロック関節の剛性を向上させることを目的として、ロック状態にあるとき、第１後支持ピン７１と第１後支持ピン７２とが接触し、第１前支持ピン７３と第２前支持ピン７４とが分離される。  
【００２３】
本発明では、大量生産で、いずれかのロックプレート３部品を２つのストッパー１２の間に形成されるシュートに入れることを保証するとともに、後続の溶接などの組み立て工程のため該シュート幅が小さくなる恐れがある場合、ロックプレート３の取り付けを保証できることを目的として、ロックプレート３の実際幅は、隣接する２つのストッパー１２の間の間隔よりやや小さい。  
【００２４】
本発明では、カムスプリング４の伸長端には、突出ピン４１がさらに設けられ、バンプ２１の形状が長円形であり、長円形のバンプ２１は、長い直線段、大きな幅を有することによって、トルクを伝達する能力を増加させ、長円形は、第１辺側２１１と、最高側２１２と、第２辺側２１３と、最低側２１４とを含み、ロック状態にあるとき、突出ピン４１が第１辺側２
１１、又は第１辺側２１１から最高側２１２までの間と接触し、ロック解除状態にあるとき、前記突出ピン４１が最高側２１２に当接する。本発明では、バンプ２１とカムスプリング４とが面一に設けられる。図７に示されるように、本発明は、ロックトルクが変わらない上で、最大のロック解除トルクを効果的に低下させ、快適性を向上させることを実現し、すなわち、トルク−ロック解除角度曲線が下に開いている放物線であるという目的を達成するために、カムスプリング４がバンプ２１に作用する力は、２つのモーメント長さに対応し、一方がカムスプリング４自体の中心からのモーメント長さＬ１であり、他方がバンプ２１の回転中心からのモーメント長さＬ２であり、カムにおけるトルク：Ｔ２＝Ｔ１（カムスプリング）／Ｌ１＊Ｌ２、構造の設計には、ロック解除されていない前にＬ２／Ｌ１の比をやや増加させ又はわずかに減衰させ、ロック解除後に減衰速度をカムスプリング４のトルクの上昇レートＫより大きくする必要がある。  
【００２５】
具体的には、本発明の引き戻し機構８は、弧形シュート６１と、スライダー３２とを含み、弧形シュート６１が制御ディスク６のカム２に近い側に設けられ、スライダー３２がロックプレート３のカム２に近い側に設けられ、スライダー３２が弧形シュート６１に摺接され、ロック解除する必要があるとき、カム２は、外力作用で、ロック解除方向に回転し、制御ディスク６を回転駆動させ、弧形シュート６１は、スライダー３２を摺動駆動させてロックプレート３を引き戻し、噛合位置から離脱させる。  
【００２６】
本発明では、カム２の、バンプ２１とは反対側の側面には、複数の固定溝２２がさらに設けられ、制御ディスク６には、固定溝２２に嵌合される複数の固定ブロック６２が対応して設けられる。制御ディスク６がトルクを伝達する能力を増加させるために、固定ブロック６２の断面形状は、「几」の字のような形、又は一側が開放する「Ｚ」字型である。  
【００２７】
具体的には、メインプレート１の内部中心位置には、外へ突出する管状突出部１３がさらに設けられ、管状突出部１３が取付溝１１に位置し、かつ管状突出部１３の外円周とバンプ２１の最低側２１４との間には、隙間が設けられ、該隙間の大きさが段階的に変わる。好ましくは、制御ディスク６の中心孔とカム２の中心孔とは、類似した形状であり、スプライン軸からのトルクを負荷する能力をさらに増大させるように構成される。本発明では、カム２がロックした後、ロックプレート３が歯付きプレート５の歯と完全と噛み合い、管状突出部１３の外円周とバンプ２１の最低側２１４との間の隙間が大きく、大きなフローティング量を許容する。カム２のロック解除（ロック）の直前に、ロックプレート３及び歯付きプレート５の歯がちょうど噛合領域から離脱し、管状突出部１３の外円周とバンプ２１の最低側２１４との間の隙間が小さく、小さなフローティング量を許容し、このように、４つのロックプレート３の挿入姿態の一致性を向上させることができる。  
【００２８】
発明では、構造の安定性をさらに向上させるために、歯付きプレート５及びメインプレート１の外部には、歯付きプレート５とメインプレート１とが軸方向に分離することを制限するための帯筋９がさらに設けられる。  
【００２９】
よって、本発明の効果は以下のとおりである。  １）、複数のロックプレート３が噛合位置に入る同期性を向上させ、操作感を改善し、  ２）、カム２とメインプレート１との間の軸方向隙間が小さく、カム２とメインプレート１との間の軸方向隙間を２ｍｍから０．２ｍｍに減少させることができ、油脂と組み合わせることによって、塗装プロセスで溶液が内部に入って角度調整器性能に影響を与えることを効果的に防止することができ、  
【００３０】
３）、ロック解除角度の変化に伴って、モーメントが急速に減少して、トルクがゆっくりと上がり、ロック解除直前の角度近傍に下がり始め、ロック解除の快適性及び手触りを向上させるとともに、ロックトルクを保証した上で、最大のロック解除トルクを効果的に低下させ、  ４）、部品の構成が簡単であり、金型の複雑度要件及び製造コストが低い。  
【００３１】
以上は、本発明の具体的な実施形態に過ぎないが、本発明の保護範囲はこれに限られず、進歩性のある労働を必要とせずに想到できる変更や置き換えは、すべて本発明の保護範囲内に含まれる。従って、本発明の保護範囲は、特許請求の範囲に限定される保護範囲を基準とする。 
【図１】
2021502883.tif 000003
【図２】
2021502883.tif 000004
【図３】
2021502883.tif 000005
【図４】
2021502883.tif 000006
【図５】
2021502883.tif 000007
【図６】
2021502883.tif 000008
【図７】
2021502883.tif 000009
【国際調査報告】
2021502883.tif 000010
2021502883.tif 000011
2021502883.tif 000012
2021502883.tif 000013
2021502883.tif 000014
2021502883.tif 000015